(57)【特許請求の範囲】
【請求項１】
流体流路を形成する平行な一対のプレートの間に介在される熱交換器用フィンであって、
一方のプレートに線接触する底部と他方のプレートに線接触する頂部とを連結する複数の傾斜壁、及び、前記傾斜壁の頂部と当該頂部に隣接する同列上の傾斜壁の底部とを連結する垂直壁をそれぞれ備えた一対のフィン列Ａ，Ｂで構成され、若しくは、これら一対のフィン列Ａ，Ｂを一組として当該組を複数配列して構成され、
前記フィン列Ｂの傾斜壁が、前記フィン列Ａの傾斜壁の延長方向と直交する方向に隣接して当該傾斜壁と交差する方向に傾斜し、
前記垂直壁が、その頂部及び底部の少なくともいずれかにおいて前記傾斜壁の頂部又は底部に向かって該傾斜壁の傾斜方向と交差する方向に傾斜する上傾斜部又は下傾斜部を有し、
前記フィン列Ａの底部と、当該底部と前記直交する方向に隣接する前記フィン列Ｂの底部とが、当該直交する方向から視て同一線上に配列されていることを特徴とする熱交換器用フィン。
【発明の詳細な説明】
【０００１】
【発明の属する技術分野】
この発明は、熱交換器用の伝熱フィンに関し、特に流体流路を形成する平行な一対のプレートの間に介在される波形の伝熱フィンの改良に関する。
【０００２】
【従来の技術】
従来より、平板を積層して、その間隔部分に形成される空間を流体の流路とした熱交換器の流路内に、凹凸を形成する波形の伝熱フィンが用いられている。例えば図３，４に示すように、従来の伝熱フィン１は、上平板２と下平板３との間に介在されており、所定間隔で千鳥状に切り起こされ相互に平行に配された複数の上板部４及び下板部５と、これらの間を連結しほぼ垂直に立ち上がる複数の直立壁６，８とが一体的に設けられてなっている。上板部４、直立壁６又は８、下板部５は、全体として波形を形成しており、直立壁６，８は、波長方向（図中で右下がり方向）に位相している。
【０００３】
この種の伝熱フィン１は、一枚の板に所定の幅間隔でスリット９を千鳥状に切り込み形成し、曲げ起こすことによってなり、波長方向と直交する多数の開口１０を形成するものである。流体は、このようにして形成される伝熱フィン１に対し、波長方向か、またはその直交方向に流れる。
【０００４】
【発明が解決しようとする課題】
しかしながら、実際には以下に説明する技術課題があった。すなわち、上述した従来の伝熱フィン１は、上平板２及び下平板３に接する上板部４及び下板部５の面積が広く伝熱フィン１の熱交換としては有効に働かず、また、伝熱フィン１の熱交換効率を向上させるには伝熱面積を増加させなければならず、このためには、上板部４と下板部５とを接続する接続板を複雑にして接続板の配列を密にすることが考えられるが、上板部４と下板部５とは直立壁６，８で接続されているので、形状が単純であって密にならないという課題があった。
【０００５】
この発明は、以上の課題を解決するものであって、伝熱フィンが上平板と下平板とに接する個所を頂点及び底点として伝熱フィン有効面積を増大させるとともに伝熱フィンの形状を複雑にして接続板の配列を密にすることで熱交換効率を向上させた伝熱フィンを提供することにある。
【０００６】
【課題を解決するための手段】
前記目的を達成するために、この発明は、流体流路を形成する平行な一対のプレートの間に介在される熱交換器用フィンであって、一方のプレートに線接触する底部と他方のプレートに線接触する頂部とを連結する複数の傾斜壁、及び、前記傾斜壁の頂部と当該頂部に隣接する同列上の傾斜壁の底部とを連結する垂直壁をそれぞれ備えた一対のフィン列Ａ，Ｂで構成され、若しくは、これら一対のフィン列Ａ，Ｂを一組として当該組を複数配列して構成され、前記フィン列Ｂの傾斜壁が、前記フィン列Ａの傾斜壁の延長方向と直交する方向に隣接して当該傾斜壁と交差する方向に傾斜し、前記垂直壁が、その頂部及び底部の少なくともいずれかにおいて前記傾斜壁の頂部又は底部に向かって該傾斜壁の傾斜方向と交差する方向に傾斜する上傾斜部又は下傾斜部を有し、前記フィン列Ａの底部と、当該底部と前記直交する方向に隣接する前記フィン列Ｂの底部とが、当該直交する方向から視て同一線上に配列されていることを特徴とする。
【０００７】
【発明の実施の形態】
以下、この発明の好適な実施の形態を図面を用いて詳細に説明する。図１はこの発明に係る伝熱フィンの斜視図、図２は同伝熱フィンの側面図である。
【０００８】
図１，図２に示されているように、伝熱フィン２０は、底部２１と頂部２２とを連結する傾斜壁２３を備えるとともに、頂部２２から傾斜壁２３の傾斜方向（図２中で右下がり方向）と直交（交差）する方向に傾斜する上傾斜部２４、上傾斜部２４の下部に連結される垂直部２５、垂直部２５の下部に連結され、傾斜壁２３の延長方向（図２中で左右方向）に隣接する他の傾斜壁２３の底部２１に連結し上傾斜部２４と平行な方向に傾斜する下傾斜部２６からなる垂直壁２７を備える。これらの傾斜壁２３及び垂直壁２７は、その延長方向に沿って波形に連続する所定幅の第一の連結板２９を構成している。
【０００９】
伝熱フィン２０はまた、傾斜壁２３の延長方向と直交する方向（図２中で紙面と直交する方向）に隣接して設けられ、底部２８と頂部３２とを連結する傾斜壁３３を備えるとともに、頂部３２から傾斜壁３３の傾斜方向と直交する方向に傾斜する上傾斜部３４，その下部に連結される垂直部３５，その下部に連結される下傾斜部３６からなる垂直壁３７を備える。これらの傾斜壁３３及び垂直壁３７は、その延長方向に沿って波形に連続する所定幅の第二の連結板３９を構成している。
【００１０】
第一及び第二の連結板２９，３９は、底部２１，３８ないしは底部２８，３１を共通にして連結され、第一の連結板２９の幅部３０だけ位相して配置されていて両連結板２９，３９が交互に繰り返し配列されている。また、傾斜壁２３，３３，上傾斜部２４，３４、垂直部２５，３５、下傾斜部２６，３６は、矩形状をしている。
【００１１】
そして、伝熱フィン２０は、一対のプレート間に形成される空間を熱交換器の流体流路とする上平板４０と下平板４１との間に介在され、両連結板２９，３９の頂部２２，３２及び底部２１，３１は、上平板４０及び下平板４１にそれぞれその稜線が線接触するようになっている。
【００１２】
上記構成において、流体は、第一，第二の連結板２９，３９の波形状に対して直角方向（図２中で紙面と直交する方向）に流れるが、伝熱フィン２０が上平板４０及び下平板４１に接する個所が面接触するものではなく線接触するものであるので、熱抵抗を低減するとともに、伝熱フィンの有効面積を増大させ、かつ、伝熱フィンの形状を複雑にすることができたので、熱交換効率を大幅に向上させることができる。
【００１３】
【発明の効果】
以上の構成によれば、伝熱フィンがプレート（上平板及び下平板）に接する個所が頂部と底部において線接触するものであるので、熱抵抗を低減するとともに、伝熱フィンの有効面積を増大させ、特に、請求項２以下の発明にあっては、伝熱フィンの形状をより複雑にして熱交換効率をさらに向上させることができる。
【図面の簡単な説明】
【図１】この発明による伝熱フィンの斜視図である。
【図２】図１の側面図である。
【図３】従来の伝熱フィンを示す図である。
【図４】図３の側面図である。
【符号の説明】
２１，２８  底部
２２，３２  頂部
２３，３３  傾斜壁
２４，３４  上傾斜部
２５，３５  垂直部
２６，３６  下傾斜部
２７，３７  垂直壁
２９  第一の連結板
３１，３８  底部
３９  第二の連結板
【図１】
0004594471.tif 000002
【図２】
0004594471.tif 000003
【図３】
0004594471.tif 000004
【図４】
0004594471.tif 000005